(57)【要約】      （修正有）【課題】密閉性を確保できる中空筒体の骨壺を提供する。【解決手段】粉骨を収容するための中空で六角柱状をなす本体１０Ａと、この本体の一端面側に、この本体の外周縁よりも径小な外周縁を有する蓋体１０Ｂとからなる。本体は、本体同士を積み重ねたとき、本体同士によってハニカム構造となるような外形であり、蓋体は、内蓋２０Ａと外蓋２０Ｂの二重構造となされると共に、本体を挿抜するとき把持できる形状である。骨壺は六角柱体であるため、横に倒して多段に安置してもスペースをとらず、多段に配置するとハニカム構造となり、骨壺１０同士を安定して安置できる。蓋体は二重構造であり、しかも内蓋は径小部２２Ｂに、外蓋は径大部２２Ａにそれぞれ緊密に羅合させているので、気密性、密閉性が高く、しかも内蓋は樹脂層で被覆されているので、気密性、密閉性が一層高くなる。【選択図】図４
2020130333.tif 000002
【特許請求の範囲】
【請求項１】
粉骨を収容するための中空で六角柱状をなす本体と、
この本体の一端面側に、この本体の外周縁よりも径小な外周縁を有する蓋体とからなり、
上記本体は、本体同士を積み重ねたとき、上記本体同士によってハニカム構造となるような外形であり、
上記蓋体は、内蓋と外蓋の二重構造となされると共に、上記本体を挿抜するとき把持できる形状となされた
ことを特徴とする骨壺。
【請求項２】
上記本体の頭部側に上記蓋体を羅合するための内筒が設けられ、上記蓋体を構成する内蓋と外蓋が共に上記内筒に羅合するように構成されると共に、上記内蓋の外表面に樹脂層が形成された
ことを特徴とする請求項１記載の骨壺。
【請求項３】
骨壺を多段に亘り収容する骨壺収納庫であって、
収納庫の台座には、骨壺を構成する本体の外側面に当接するように水平方向に延びる波板状の当接体が設けられ、
上記当接体の骨壺当接面を用いて最下段に位置する上記骨壺の収納位置を固定するようにした
ことを特徴とする骨壺収納庫。
【請求項４】
上記当接体の当接面には、樹脂層が形成された
ことを特徴とする請求項３記載の骨壺収納庫。
【請求項５】
複数の骨壺同士が互いに重ね合わされてハニカム構造となるように安置される
ことを特徴とする請求項３記載の骨壺収納庫。
【発明の詳細な説明】
【技術分野】
【０００１】
この発明は、中空筒体で構成された骨壺および骨壺収納庫に関する。
【背景技術】
【０００２】
骨壺は通常お墓に備えられたカロート内に収納するのが一般的であるが、最近では省スペースで、多数の骨壺を収納できる納骨堂を利用する場合が多い。特に、都心ではお墓に対して充分なスペースを確保することができないお寺さんも多いので、この種納骨堂がブームになっている。
【０００３】
骨壺は一般的には、特許文献１に示したような断面円形の陶器性の骨壺であるが、最近では骨壺にもデザイン性や作りやすさなどが重視されるようになって、特許文献２に示すような骨壺も出現している。
【先行技術文献】
【特許文献】
【０００４】
【特許文献１】特開２００６−１６６９６０号公報
【特許文献２】特開２００９−２０７６３５号公報
【発明の概要】
【発明が解決しようとする課題】
【０００５】
ところで、上述した特許文献１に示される骨壺は、一般的な骨壺であってその外形が円柱状であり、上部を蓋で被せるタイプである。この種骨壺は、陶器製であり、その外面にはお花やその他の絵を描いて装飾性に富んだ骨壺であるため、基本的にはカロート内に収納する場合に多用されるタイプであるが、勿論上述した納骨堂用として利用されることがあるけれど、棚などに収納する場合には横並びで並置されて安置されることになるので、占有面積が大きくなり、省スペースを図れるまでにはなっていない。また、重ねて安置する場合には、上下の仕切り（安置板）が必要になるため、大型となり、骨壺収納棚を安価に造ることができないなどの欠点がある。
【０００６】
特許文献２に開示された骨壺は、角柱体を基本構成とし、その製作性を重視したもので、角柱体は木炭、竹炭等の植物由来の炭粉末とバインダからなる混合物の成形体である。角柱体は六角形以上の角体を採用しうる旨の記載があるが、六角形以上としたのは単なる装飾性を考慮したためと思われる。
【０００７】
角柱体の開口部を覆う蓋体は、嵌め込み式であるので、骨壺を収納するときにその安置の仕方に制約を伴う。例えば、横並びで立てて並置する場合はともかく、同じ横並びでも蓋体を前面側に向けて骨壺を倒して並置し、上下のスペースを抑えるような安置の仕方を採用したときには、この蓋体が意外と外れやすく、収納した粉骨がこぼれ落ちるようなことも起きる可能性がある。勿論このような安置の仕方では、上下の仕切板が必要になるので収納棚をコンパクトに造ることが困難になる。
【０００８】
蓋体は角柱体に対して単に嵌め込まれているだけであるので、蓋体の被せ方が悪かったり、経年変化による蓋体と角柱体との密着性が悪くなることも考えられるため、常に長期間に亘り充分な密閉性を確保することが困難になることが予想される。密閉性が悪くなると、蓋体より外気が角柱体内に入り込み、外気による水分を粉骨が吸収するために、時が経つにつれ、内部に水分が溜まってしまったり、粉骨が腐敗したりするおそれがある。
【０００９】
そこで、この発明はこのような従来の問題点に鑑み、密閉性を充分確保できる中空筒体からなる骨壺（納骨筒タイプの骨壺）を提案するものであり、またこのような骨壺を用いて多数収容することを考慮した収納庫を提案するものであって、本体を六角柱体構成とし、骨壺をハニカム式に安置することで、多段に亘り収容する場合であってもスペースを有効に活用でき、しかも安定して多段収容を可能にしたものである。
【課題を解決するための手段】
【００１０】
上述した課題を解決するため、請求項１記載の発明に係る骨壺は、粉骨を収容するための中空で六角柱状をなす本体と、この本体の一端面側に、この本体の外周縁よりも径小な外周縁を有する蓋体とからなり、本体は、本体同士を積み重ねたとき、本体同士によってハニカム構造となるような外形であり、蓋体は、内蓋と外蓋の二重構造となされると共に、本体を挿抜するとき把持できる形状となされたことを特徴とする。
【００１１】
請求項２記載の発明に係る骨壺は、本体の頭部側に蓋体を羅合するための内筒が設けられ、蓋体を構成する内蓋と外蓋が共に内筒に羅合するように構成されると共に、内蓋の外表面に樹脂層が形成されたことを特徴とする。
【００１２】
請求項３記載のこの発明に係る骨壺収納庫は、骨壺を多段に亘り収容する骨壺収納庫であって、収納用台座には骨壺を構成する本体の外側面に当接するように骨壺本体の長手方向に延びる台形状の当接体が設けられ、上記当接体の当接面を用いて骨壺の収納位置を固定するようにしたことを特徴とする。
【００１３】
請求項４記載のこの発明に係る骨壺収納庫は、上記当接面には、樹脂層が形成されたことを特徴とする。
【００１４】
請求項５記載のこの発明に係る骨壺収納庫は、複数の骨壺同士が互いに重ね合わされてハニカム構造となるように安置されることを特徴とする。
【発明の効果】
【００１５】
この発明に係る骨壺は、安置した骨壺同士で、ハニカム構造となるように、骨壺本体が正六角柱状をなす角体となされているので、骨壺を横向きにして骨壺同士を上下左右に並置するような場合には、多数の骨壺を効率よく安置できる。
【００１６】
横一列に安置する場合でも、本体が正六角柱状体であるために横向き、縦向きに拘わらず隣り同士の骨壺を互いに接触させた状態で安置できるので、省スペース化を図れる。骨壺同士を互いに接触させた状態で安置できるため、本体の形状が円筒形や、多角柱でも八角形などの形状よりも、横方向（本体の径方向）へは動きにくくなり、安定性よく安置できると共に、耐震特性にも優れている。
【００１７】
蓋体は二重構造であって、内蓋、外蓋とも本体に羅合する構成としているため、本体に対する蓋体の密着性が改善され、本体の通気性に対する遮断特性が良好となり、密閉性の高い骨壺を実現できる。特に、内蓋の外表面には樹脂層が形成されているため、本体に対する気密性が格段に向上し、長期に亘り、本体内部への湿気の入り込みを遮断できる。そのため、本体内部に水分が溜まったり、粉骨を傷めるおそれも大幅に改善される。内蓋に加えて外蓋の内面にも樹脂層をコーティングする場合には、気密性が一層高くなる。
【００１８】
骨壺の材質として、ステンレス材などを使用した場合には、本体の加工が容易で、安価に製造できる特徴に加え、軽量で、錆びにくく長期保管に適している。納骨堂などに安置する場合にも、骨壺収納庫に対する安置位置の位置替えなどを簡単に行えるから作業性がよい。
【００１９】
この発明に係る骨壺用収納庫は、台座に骨壺の外側面に当接する当接体を設けたので、例え一列のみの安置であっても、当接体の作用で、左右方向への動きが抑えられるから、骨壺を安定に安置できる。
【００２０】
骨壺を上下左右に隙間なく安置する場合には、骨壺同士によってハニカム状（ハニカム構造）となり、骨壺を多数配置した場合であっても、極めて安定した安置状態を実現できる。したがって、耐震性が優れ、省スペース化を図れる骨壺収納庫を提供できる。
【００２１】
ハニカム構造となるように骨壺同士を安置する場合でも、収納棚に対する挿抜、つまり骨壺の収納および取り出しは、上層の骨壺の重さは上方および下方に位置した隣接する複数の骨壺の外側面によって分散して支えられているため、隣接する骨壺に影響を与えることなく骨壺を出し入れすることができる。もちろん、当接体の当接面（斜面）に樹脂層を形成しておけば、この樹脂層が摩擦軽減効果を発揮し、より一層その出し入れをスムーズに行うことができる。本体の外側面にも樹脂層をコーティングしておけば一層の摩擦軽減効果を得ることができ、隣接する骨壺を傷つけることなく骨壺の挿抜を実現できる。
【００２２】
骨壺収納庫それ自体、コンパクトに形成できるため、骨壺収納庫の収納個数を抑えれば、骨壺収納庫の増設に伴う配置替えなども至極簡単に行うことができる。
【図面の簡単な説明】
【００２３】
【図１】この発明に係る骨壺の一例を示す斜視図である。
【図２】その正面図である。
【図３】その平面図である。
【図４】蓋体を外した状態の正面図である。
【図５】図２の一部拡大縦断面図である。
【図６】この発明に係る骨壺収納庫の一例を示す斜視図である。
【図７】扉を開けた状態での骨壺収納庫の斜視図である。
【図８】骨壺を収納したときの骨壺収納庫の要部平面図である。
【図９】骨壺収納庫の側面図である。
【図１０】当接体と骨壺との関係を示す説明図である。
【発明を実施するための形態】
【実施例】
【００２４】
続いて、この発明に係る骨壺およびこれを使用した骨壺収納庫の一例を、図面を参照して説明する。
【００２５】
図１は、この発明に係る骨壺１０の一例を示す正面図である。骨壺１０は本体１０Ａと蓋体１０Ｂとで構成され、本体１０Ａは細長い中空の六角柱状体、特に正六面の柱状体であり、正六面体の側面１２ａ〜１２ｆを有する。そのうち１つの側面１２ａの表面全体が、戒名、俗名、生年月日、享年など故人ゆかりの情報を刻む銘板面として使用される。側面１２ａのほぼ前面に亘り僅かな窪みを形成し、この凹面部を銘板面として使用することもできる。蓋体１０Ｂは図３にも示すように所定の長さと径を有する円筒体であり、後述するように二重構造となされている。
【００２６】
本体１０Ａおよび蓋体１０Ｂは、何れも軽量で、加工し易い材質で
形成されており、この例ではステンレス材が使用され、プレス加工によって正六角柱体が形成される。この例では、上下が開放された六角柱と、蓋体用の頂板と六角状の底板（平板）とがそれぞれプレス加工されると共に、これらが溶接されて六角柱体が形成される。頂板は蓋体１０Ｂとして使用できるように加工されることになる。
【００２７】
蓋体１０Ｂは図４および図５に示すように二重構造となされ、内蓋２０Ａと外蓋２０Ｂで構成され、しかも内蓋２０Ａは頭部本体に形成された羅合用の内筒２２のうち径小部２２Ｂと羅合し、外蓋２０Ｂは内筒２２の径大部２２Ａと羅合するように内蓋２０Ａと外蓋２０Ｂのそれぞれの径が選定されると共に、内筒２２の外面にはネジ２４，２６が切られている。
【００２８】
蓋体１０Ｂの頭部側には羅合用の内筒２２を形成するため、図４および図５に示すように頭部は上方に向かって絞られた上で羅合用の内筒２２が立ち上がるように成形されている。内蓋２０Ａの外周面には樹脂層２８が充填（コーティング）されると共に、この例では外蓋２０Ｂの内側にも内面全体に亘って樹脂層３０が充填されている。樹脂層２８．３０は何れもある程度の厚みを有するように充填されているが、層状にコーティングすることもできる。
【００２９】
外蓋２０Ｂの樹脂層３０は外気が内蓋２０Ａ内に浸入しないようにするためであり、内蓋２０Ａの樹脂層２８は内蓋２０Ａ側から本体１０Ａ内に外気が浸入しないようにするための遮蔽層（遮断層）として機能する。内蓋２０Ａと外蓋２０Ｂのそれぞれをネジ式にして内蓋２０Ａと外蓋２０Ｂを内筒２２に強く締め付ける構成としたのも、外気が本体１０Ａ内に浸入しないようにして、長期に亘り本体内部の気密性を保持するためである。これによって経年変化による気密性の劣化を防ぐようにしている。
【００３０】
樹脂層２８，３０には吸湿材を混在させたり、その表面に吸湿材などを塗布してもよい。外蓋２０Ｂの内面にコーティングされた樹脂層３０はこれを省略することもできる。
【００３１】
図６および図７は上述した骨壺１０を多数収納できる骨壺収納庫４０の一例を示す。同図は、説明の都合上骨壺１０をフルに収納した状態の正面図である。図６は観音式の扉５６を閉じた状態を示し、図７は開けた状態を示す。骨壺粒１０の収納状態を容易に把握できるようにするため扉５６はアクリル製の透明板が使用されている。
【００３２】
この骨壺収納庫４０は図７にも示すように、骨壺１０を整然と収納できるような幅と奥行きを持った収納スペースを有し、直方体状をなす。そのため、この骨壺収納庫４０は台座４２と、一対の側板（フレーム）５０，５２、天板６０および背面板６２（図９参照）とで構成されている。これらの板体は何れも金属板体などで加工される。骨壺収納庫４０への骨壺収納個数は、納骨堂の規模に応じて適宜選定される。
【００３３】
図８に示すように骨壺１０同士は横に倒して蓋体１０Ｂが前面に来るように収納されるが、その際一番底に安置される骨壺１０同士が揺るぎなく収納できるように、換言するならば、安置される最下段の骨壺１０が安定した状態で載置されるように台座４２には当接体４４が設けられる。
【００３４】
当接体４４は図８および図１０に示すように断面台形状をなす波板が使用される。波板状であるため当接体４４は山部と谷部が連なった形状をなす。骨壺１０の側面１２ａが下側となるように収納されているときは、骨壺１０の側面１２ａ、１２ｂおよび１２ｆが隙間なく当接面に接触するように、当接体４４の幅および高さが選定されている。当接体４４の奥行きは骨壺１０の長さ（高さ）と同等か、それより若干長く選定されている。
【００３５】
当接体４４にはそれなりの荷重がかかる。当接体４４は波板であるので、その強度に不安がある場合には、台形部の下側空間に補強材などを補設すればよい。
【００３６】
このように当接体４４によって骨壺１０が揺るぎなく支えられることになる。当接体４４の各角部は丸味を帯びるように形成され、骨壺１０の挿抜によっても骨壺１０同士が傷付きにくいように工夫されている。図１０のように側板５０，５２の内壁部側に断面Ｖ字状の当接体（垂直当接体）６８を設ければ、収納状態がさらに安定する。
【００３７】
図８および図１０からも明らかなように、骨壺１０は正六面柱体であるために複数の骨壺１０を順序よく下段から上段に向かって載置した場合には、載置形状がハニカム状となる。このハニカム構造によって、骨壺１０のそれぞれがしっかりと支え合う構造となり、左右上下の振動に対して、崩れ落ちたり、抜け出ることがなく骨壺１０を確実に収納することができる。
【００３８】
当接体４４．６８の表面に所定の厚みを有する（非常に薄い）樹脂層（図示はしない）をコーティングしておけば、骨壺１０の出し入れ時に発生する摺動摩擦の軽減はもちろんのこと、骨壺１０自体にもその表面に薄い樹脂層（図示はしない）をコーティングしておけば、挿抜時における一層の摩擦軽減効果が得られる。
【００３９】
台座４２の下部には必要に応じてキャスター等の移動部材（図示はしない）を取り付けることができる。これによって納骨堂内における骨壺収納庫４０の配置替えや増設などを容易に行える。
【００４０】
骨壺１０同士を並べて収納したとき上下左右の蓋体１０Ｂの間には充分な隙間ができるので、蓋体１０Ｂを摘んで取り出すときに左右、上下の骨壺１０によって邪魔されることなく取り出したり差し込むことができる。そのため、蓋体１０Ｂの長さと径は把持部として機能できるサイズに選定されている。骨壺１０を取り出したときのスペース（広さ）はそのまま確保されているので、同じ場所に骨壺１０を収納できなくなるようなおそれはない。
【００４１】
つまり、上層の骨壺１０の重さは上方および下方に位置した隣接する複数の骨壺１０の外側面によって分散して支えられることとなり、隣接する骨壺１０に影響を与えることなく骨壺１０を出し入れすることができる。このように骨壺１０を多数収納した状態で、特定の骨壺１０を挿抜しても支障を来すことなく出し入れできるのは、骨壺本体を正六角柱体とし、並べたときハニカム構造となるように構成したからに他ならない。
【００４２】
上述した蓋体１０Ｂの頂面部には、骨壺１０の所有者を表示するための識別票が刻印若しくは印刷されている。識別票は骨壺収蔵庫への収蔵場所を特定するための情報であり、一般的には収蔵位置を特定するための標識が使用され、決められた場所に間違いなく、確実に収蔵（安置）できるようにしている。
【００４３】
そのため、骨壺収蔵庫４０にも、図８に示すようにその台座４２と天板６０の前面には例えば左から右に向かって順番に番号（列番号）が付され、左右の側板５０，５２には下段から上段に向かって段数を示す番号（段番号）が付され、収蔵番地の特定を容易にすると共に、骨壺１０の出し入れを的確に行えるようにしている。
【００４４】
上述した骨壺１０内には粉骨を収容するケースが殆どであるが、完全な粉骨である必要はない。骨壺１０の大きさは、一例であるが正六角柱体からなる本体１０Ａの長さは２８０ミリ程度、外周縁（外接円）の径は１０５ミリ程度、蓋体１０Ｂの外径は６０ミリ程度、その長さは５０ミリ程度である。その厚みは１〜２ミリ程度である。
【産業上の利用可能性】
【００４５】
この発明は、納骨堂などにおいて使用される、粉骨を収容する骨壺およびこの骨壺を収納する収納庫に適用して好適である。
【符号の説明】
【００４６】
１０・・・骨壺
１０Ａ・・・本体
１０Ｂ・・・蓋体
１０ａ〜１０ｆ・・・側面
２０Ａ・・・内蓋
２０Ｂ・・・外蓋
２２・・・羅合用の内筒
２２Ａ・・・径大部
２２Ｂ・・・径小部
２８，３０・・・樹脂層
４０・・・骨壺用収納庫
４２・・・台座
４４・・・当接体
５０，５２・・・側板
【図１】
2020130333.tif 000003
【図２】
2020130333.tif 000004
【図３】
2020130333.tif 000005
【図４】
2020130333.tif 000006
【図５】
2020130333.tif 000007
【図６】
2020130333.tif 000008
【図７】
2020130333.tif 000009
【図８】
2020130333.tif 000010
【図９】
2020130333.tif 000011
【図１０】
2020130333.tif 000012
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
粉骨を収容するための中空で六角柱状をなす本体と、
この本体の一端面側に、この本体の外周縁よりも径小な外周縁を有する蓋体とからなり、
上記本体は、本体同士を倒して積み重ねたとき、上記本体同士によってハニカム構造となるような外形であり、
上記蓋体は、内蓋と外蓋の二重構造となされ、上記本体を挿抜するとき把持できる形状となされると共に、上記本体の頭部側に上記内蓋及び外蓋と夫々螺合するための内筒が設けられ、この内筒に上記内蓋と外蓋とが共に螺合できるように構成された上、上記内筒の内表面には樹脂層が形成された
ことを特徴とする骨壺。
【手続補正２】
【補正対象書類名】明細書
【補正対象項目名】００１０
【補正方法】変更
【補正の内容】
【００１０】
上述した課題を解決するため、請求項１記載の発明に係る骨壺は、粉骨を収容するための中空で六角柱状をなす本体と、この本体の一端面側に、この本体の外周縁よりも径小な外周縁を有する蓋体とからなり、上記本体は、本体同士を倒して積み重ねたとき、上記本体同士によってハニカム構造となるような外形であり、上記蓋体は、内蓋と外蓋の二重構造となされ、上記本体を挿抜するとき把持できる形状となされると共に、上記本体の頭部側に上記内蓋及び外蓋と夫々螺合するための内筒が設けられ、この内筒に上記内蓋と外蓋とが共に螺合できるように構成された上、上記内筒の内表面には樹脂層が形成されたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】